(57)【要約】【課題】化粧リング３をコイルバネ７の圧縮方向（シリンダーの先端方向）に引っ張っても、防犯用外筒体５と化粧リング３との間に隙間を生じさせず、コイルバネ７が抜け落ちないようにすること。【解決手段】シリンダー錠の飾り筒８の内側に嵌装される飾り筒カラー９にスカート部分１０を設けた。このスカート部分１０の内側の傾斜角度は、防犯用外筒体５の傾斜面の傾斜角度と同一であり、スカート部分１０が裾部に行くほど先細りとなる形状となっている。このスカート部分１０が防犯用外筒体５の傾斜面を覆うことにより、傾斜面がなくなる。【選択図】図２
2006152774.tif 000002
【特許請求の範囲】
【請求項１】
シリンダー錠の飾り筒の内側に嵌装される飾り筒カラーであって、シリンダー錠に外嵌合される固定筒の外側に嵌装され、基端部から先端部にかけて外周壁がすい台状に傾斜した防犯用外筒体の傾斜面を覆うような形で伸びるスカート部分を有することを特徴とする飾り筒カラー
【請求項２】
請求項１に記載された飾り筒カラーであって、そのスカート部分が防犯用外筒体の傾斜面を覆うことにより傾斜面が無くなるようにするため、そのスカート部分の内側の傾斜角度を防犯用外筒体の傾斜面の傾斜角度と同一にし、スカート部分が裾部に行くほど先細りとなる形状にしたことを特徴とする飾り筒カラー
【発明の詳細な説明】
【技術分野】
【０００１】  本発明は、扉錠として用いられるシリンダー錠の飾り筒の内側に嵌装される飾り筒カラーの形状に関するものである。
【背景技術】
【０００２】  住宅やマンション等の玄関扉や事務所の出入口用扉には扉錠が取り付けられるのが一般的である。この扉錠は、扉の自由側端縁から進退する錠杆を扉枠に係合・係合解除させ、扉を施解錠する施解錠機構を内蔵し、扉の室外側に取り付けられるシリンダー１と、扉の室内側に取り付けられる図示しないサムターンに連結され、室外側からはシリンダー１のキーガイド２に鍵を挿入して鍵を回転させることにより、室内側からはサムターンを回転させることにより施解錠動作される。【０００３】  また、最近では防犯面を強化した扉錠も続々登場し、不正解錠手段の一つであるピッキング被害は減少傾向にある。【０００４】  その一方、泥棒が挟み部を有するプライヤーを用い、化粧リング３とともに、固定筒６及びシリンダー錠を無理やり「破壊」あるいはもぎ取るといった形の新手の不正解錠事例が報告されるようになってきた。【０００５】  そこで、出願人は、下記特許文献にて示すように「基端部が錠箱に取り付けられ、一方、他端部が扉の外壁面の取付孔から突出するシリンダー錠と、このシリンダー錠に外嵌合する固定筒と、この固定筒と筒状化粧リングとの間に介在する防犯用外筒体とからなるシリンダー錠の保護構造において、前記防犯用外筒体は、内端部が前記取付孔に嵌入し、少なくとも当該内端部寄りの部位から先端部にかけて外周壁が傾斜面のすい台状に形成されていることを特徴とするシリンダー錠の保護構造」につき特許出願をしている。
【特許文献１】特願２００３−３８７６５９
【発明の開示】
【発明が解決しようとする課題】
【０００７】  しかし、かかる傾斜面を有する防犯用外筒体５を用いると、化粧リング３と防犯用外筒体５の間に入れるコイルバネ７の圧縮方向に化粧リング３を引っ張ったときに、化粧リング３と防犯用外筒体５の隙間１２からコイルバネ７が抜け易くなってしまう（図１参照）。化粧リング３をコイルバネ７の圧縮方向（シリンダーの先端方向）に引っ張ると、シリンダー先端方向に行くに連れ、防犯用外筒体５と化粧リング３との間の隙間１２が大きくなるからである。【０００８】  本発明は上記事情に鑑みてなされたもので、化粧リング３をコイルバネ７の圧縮方向（シリンダーの先端方向）に引っ張っても、防犯用外筒体５と化粧リング３との間に隙間１２が生じず、コイルバネ７が抜け落ちないようにすることを目的とする。
【課題を解決するための手段】
【０００９】  上記目的を達成するため、請求項１に記載された発明は、シリンダー錠の飾り筒８の内側に嵌装される飾り筒カラー９であって、シリンダー錠に外嵌合される固定筒６の外側に嵌装され、基端部から先端部にかけて外周壁がすい台状に傾斜した防犯用外筒体５の傾斜面を覆うような形で伸びるスカート部分１０を有することを特徴とする。【００１０】  また、請求項２に記載された発明は、請求項１に記載された飾り筒カラー９であって、そのスカート部分１０が防犯用外筒体５の傾斜面を覆うことにより傾斜面が無くなるようにするため、そのスカート部分１０の内側の傾斜角度を防犯用外筒体５の傾斜面の傾斜角度と同一にし、スカート部分１０が裾部に行くほど先細りとなる形状にしたことを特徴とする。
【発明の効果】
【００１１】  化粧リング３をコイルバネ７の圧縮方向（シリンダーの先端方向）に引っ張っても、防犯用外筒体５と化粧リング３との間に隙間が生じないため、コイルバネ７が抜け落ちない。
【発明を実施するための最良の形態】
【００１２】  一般住宅やオフィスの玄関その他の扉には、防犯を目的として施錠・解錠を行うことのできる扉錠が装着される。本発明に係るシリンダー錠の飾り筒カラー９は、その扉錠として一般に用いられるシリンダー錠の飾り筒８の内側に嵌装される一部品である。【００１３】  本発明品が用いられるシリンダー錠は、図示しない錠機構を内蔵するシリンダー１と、そのシリンダー１を囲むように嵌装される円筒状の固定筒６と、この固定筒６の外側に嵌装される防犯用外筒体５と、この防犯用外筒体５の外側に嵌装される化粧リング３と、防犯用外筒体５と化粧リング３の間に嵌装されるコイルバネ７と、固定筒６を正面から覆う飾り筒８とからなる。【００１４】  防犯用外筒体５は、基端部から先端部にかけて外周壁がすい台状に傾斜した傾斜面を有している。【００１５】  シリンダー錠の固定筒６や防犯用外筒体５が人目に触れると見栄えが悪くなり、防犯上の観点からも妥当でない。そのため、固定筒６や防犯用外筒体５の側面を覆うために、化粧リング３を被せる。化粧リング３は、断面中空状に形成されており、内周面の一端が内側に若干程度曲がっている。この若干程度内側に曲がった部分がコイルバネ７の一端を受けるバネ受け部４である。【００１６】  コイルバネ７は、化粧リング３を扉外壁面に押圧する付勢バネであり、防犯用外筒体５と化粧リング３の間に内装される。シリンダー錠の扉外壁面からの露出の程度はシリンダー錠を取り付ける扉の厚みによって左右される。そのため、化粧リング３をコイルバネ７により扉外壁面に押圧することにより、化粧リングがガタつかないようにしている。【００１７】  飾り筒８は、正面からの見た目を良くするための部材であり、正面から見た形状はドーナツ形状である。この飾り筒８の内側に樹脂製の飾り筒カラー９を嵌装する。飾り筒カラー９の厚みが、防犯用外筒体５の先端部の厚みより大きいため、その隣接部分に段差が生ずる。この段差がコイルバネ７の他端の受け部１３として機能する。
なお、飾り筒８と固定筒６とは、固定ピン１１によって固定されている。【００１８】  飾り筒カラー９には、防犯用外筒体５の傾斜面を覆うような形で伸びるスカート部分１０がある。このスカート部分１０が防犯用外筒体の傾斜面を覆うことにより傾斜面が無くなる。なぜなら、そのスカート部分の内側の傾斜角度が防犯用外筒体の傾斜面の傾斜角度と同一であり、スカート部分が裾部に行くほど先細りとなっているからである。【００１９】  そのため、化粧リング３をコイルバネ７の圧縮方向（シリンダーの先端方向）に引っ張っても、防犯用外筒体５と化粧リング３との間に隙間１２が生じず、コイルバネ７が抜け落ちない。
【図面の簡単な説明】
【００２０】
【図１】従来の飾り筒カラーを用いたシリンダー錠
【図２】本発明に係る飾り筒カラーを用いたシリンダー錠
【符号の説明】
【００２１】１…シリンダー
２…キーガイド
３…化粧リング
４…バネ受け部
５…防犯用外筒体
６…固定筒
７…コイルバネ
８…飾り筒
９…飾り筒カラー
１０…スカート部分
１１…固定ピン
１２…隙間
１３…バネ受け部
【図１】
2006152774.tif 000003
【図２】
2006152774.tif 000004